(57)【要約】【課題】電子機器の設定画面の使い勝手を向上させる。【解決手段】タッチパネル式のディスプレイ５１と、設定項目をディスプレイ５１に表示させる制御部１０と、を備える。制御部１０は、設定項目に対する設定を受け付けたことに応じて当該設定項目に設定された設定内容を示す説明図ｆ２をディスプレイ５１に表示させる。また制御部１０は、説明図ｆ２の表示後、設定項目の設定内容に基づく処理の開始指示ボタン（ｂ１）の出現条件を満たした場合に、開始指示ボタン（ｂ１）をディスプレイ５１に表示させる。【選択図】図２
2017130708.tif 000002
【特許請求の範囲】
【請求項１】
タッチパネル式のディスプレイと、
設定項目を前記ディスプレイに表示させる制御部と、
を備え、
前記制御部は、
前記設定項目に対する設定を受け付けたことに応じて当該設定項目に設定された設定内容を示す説明図を前記ディスプレイに表示させ、
前記説明図の表示後、前記設定項目の設定内容に基づく処理の開始指示ボタンの出現条件を満たした場合に、前記開始指示ボタンを前記ディスプレイに表示させる、
電子機器。
【請求項２】
前記出現条件は、前記説明図を表示してから前記ディスプレイに対する操作を閾値時間以上検知しなかったこと、または、前記説明図を表示してから前記開始指示ボタンの出現指示操作を検知したことを含む、
請求項１に記載の電子機器。
【請求項３】
前記制御部は、前記出現条件を満たした場合に前記開始指示ボタンを前記説明図に換えて表示させる、
請求項２に記載の電子機器。
【請求項４】
設定項目をタッチパネル式のディスプレイに表示させる表示制御機能であって、
前記設定項目に対する操作を受け付けたことに応じて前記設定項目に対応する設定内容を示す説明図を前記ディスプレイに表示させ、
前記説明図の表示後、前記設定項目の設定内容に基づく処理の開始指示ボタンの出現条件を満たした場合に、前記開始指示ボタンを前記ディスプレイに表示させる、表示制御機能を電子機器に実現させる制御プログラム。
【発明の詳細な説明】
【技術分野】
【０００１】
本発明は、電子機器およびその制御プログラムに関する。
【背景技術】
【０００２】
従来、タッチパネル式のディスプレイを備え、当該ディスプレイとは別のスタートボタンを備えた印刷装置が知られている（例えば特許文献１）。また、タッチパネル式のディスプレイにスタートボタンを表示することも知られている。
【先行技術文献】
【特許文献】
【０００３】
【特許文献１】特開２０１２−１２９８３６号公報
【発明の概要】
【発明が解決しようとする課題】
【０００４】
しかし、ディスプレイとは別にスタートボタンを配置する構成の場合、ディスプレイ上で設定操作をした後、ディスプレイからスタートボタンまでユーザーは指を移動させる必要があり、設定後速やかにスタートボタンを押下しにくく不便であった。一方、ディスプレイにスタートボタンを表示する構成の場合、スタートボタンをディスプレイ外に配置する構成と比較して、スタートボタン以外の情報を表示する領域が狭くなるという問題がある。ところで、電子機器の設定画面において文字で提示した選択肢をユーザーに選択させる構成の場合、ユーザーは選択肢の内容をイメージしづらく使い勝手が悪い。そのため、例えば選択肢の内容を示す図等も合わせて表示することが考えられるが、ディスプレイが小型であるほど、当該図を表示する領域を確保することが難しい。
本発明は、電子機器の設定画面の使い勝手を向上させることを目的とする。
【課題を解決するための手段】
【０００５】
上記目的を達成するための電子機器は、タッチパネル式のディスプレイと、設定項目をディスプレイに表示させる制御部と、を備える。そして制御部は、設定項目に対する設定を受け付けたことに応じて当該設定項目に設定された設定内容を示す説明図をディスプレイに表示させる。また制御部は、説明図の表示後、設定項目の設定内容に基づく処理の開始指示ボタンの出現条件を満たした場合に、開始指示ボタンをディスプレイに表示させる。
【０００６】
本発明の場合、以下のような効果を奏するため使い勝手が向上する。まず、設定を受け付けた際に設定内容を示す説明図を表示することにより、ユーザーに設定内容をわかりやすく通知することができる。また、常に説明図と開始指示ボタンとを表示する構成と比較すると、本発明の場合は説明図の表示領域を広く確保することが可能であり、設定内容を詳細に説明する説明図を表示させやすい。また、出現条件を満たした場合に開始指示ボタンをディスプレイに表示させることにより、例えば開始指示ボタンが常に表示される階層まで画面を戻す等の操作をする必要がなくなり、ユーザーは設定後であって出現条件を満たした場合に速やかに開始指示ボタンをタップすることができる。また、出現条件を満たした場合に開始指示ボタンをディスプレイに表示させることにより、開始指示ボタンがディスプレイ外に設けられた構成と比較してユーザーの指の移動量を少なくすることができる。
【図面の簡単な説明】
【０００７】
【図１】プリンターの構成を示すブロック図。
【図２】（２Ａ）〜（２Ｄ）は設定画面を示す図。
【図３】（３Ａ）〜（３Ｆ）は設定画面を示す図。
【図４】（４Ａ）および（４Ｂ）は設定画面を示す図、（４Ｃ）は設定画面の部分領域の表示内容を説明する図。
【図５】（５Ａ）〜（５Ｂ）は設定画面を示す図。
【発明を実施するための形態】
【０００８】
以下、本発明の実施の形態を、添付図面を参照しながら説明する。尚、各図において対応する構成要素には同一の符号が付され、重複する説明は省略される。
１．第一実施形態：
１−１．プリンターの構成：
図１は、本発明の実施形態にかかるプリンター１の構成を示すブロック図である。プリンター１は、制御部１０と印刷部２０と画像読取部３０と通信部４０とユーザーＩ／Ｆ部５０とを備え、画像読取機能を有するプリンターとして構成される。したがってプリンター１は印刷装置および画像読取装置に相当する。
【０００９】
印刷部２０は、インクジェット方式、電子写真方式など周知の印刷方式で写真紙・普通紙・ＯＨＰシートなどの印刷媒体に印刷を実行するためのアクチュエーターやセンサーや駆動回路や機械部品を備えている。画像読取部３０は、原稿台に載置された原稿に発光し原稿からの反射光をＲＧＢの各色に分解してスキャン画像データとする周知のカラーイメージセンサーや、原稿を搬送するためのアクチュエーターや駆動回路や機械部品を備えている。
【００１０】
通信部４０は、外部機器と有線または無線で通信するための各種の通信インターフェースを含む。また、通信部４０は、プリンター１に装着された各種のリムーバブルメモリーと通信するためのインターフェースを含む。ユーザーＩ／Ｆ部５０は、タッチパネルディスプレイ５１（以降、単にディスプレイ５１と呼ぶ）や図示しないキー入力部を含む。ディスプレイ５１は、制御部１０の制御に基づいて様々な情報を表示する表示パネルと、当該表示パネルに重ねられたタッチ検出パネルとを備え、静電容量方式、抵抗膜式、光学式等の周知の方法によって人の指等のポインティングオブジェクトによるタッチ操作を検出する。そしてディスプレイ５１は、当該タッチ操作を示す情報（例えばタッチ開始位置やタッチ終了位置の座標等）を制御部１０に出力する。
【００１１】
制御部１０は、図示しないＣＰＵやＲＯＭやＲＡＭや不揮発性メモリーを備え、ＣＰＵはＲＯＭや不揮発性メモリーに記録された制御プログラム１１を、ＲＡＭや不揮発性メモリーを用いて実行することができる。当該制御プログラム１１は、ディスプレイ５１に様々な情報を表示し、ディスプレイ５１から取得したタッチ操作を示す情報に基づいてディスプレイ５１に対する操作（例えば、タップ、スワイプ、ピンチイン、ピンチアウト等を含む）を検知すると当該操作に対応する処理をプリンター１の各部を制御して実行させる機能をプリンター１に実現させるプログラムである。特に本実施形態においては、設定画面において設定内容を説明する説明図を表示し、後述する出現条件を満たすと当該説明図に換えて開始指示ボタンとしてのスタートボタンを表示する表示制御機能が、制御プログラム１１には含まれている。
【００１２】
設定画面には複数の設定項目が提示され、ユーザーは各設定項目に対し設定内容を変更することができる。各設定項目において設定されている設定内容を示す情報は、ＲＡＭや不揮発性メモリーに記録されており、ユーザーの変更操作に応じて当該情報が書き換えられる。
【００１３】
１−２：設定画面の遷移：
図２Ａは、ディスプレイ５１に表示されるホーム画面５１１を示している。ホーム画面５１１には、スキャン機能の設定画面を表示するためのスキャンボタン５１１ａと、コピー機能の設定画面を表示するためのコピーボタン５１１ｂと、写真印刷機能の設定画面を表示するための写真印刷ボタン５１１ｃとが含まれている。
【００１４】
ホーム画面５１１が表示されている状態で、コピーボタン５１１ｂがタップされたことを検知すると制御部１０は図２Ｂに示すコピートップ画面５１２をディスプレイ５１に表示させる。コピートップ画面５１２において領域ａ３には、画面タイトルである「コピートップ」の文字と「戻る」ボタン５１２ｘが表示される。「戻る」ボタン５１２ｘは前画面であるホーム画面５１１を表示するためのボタンである。領域ａ１には、コピー機能に関連する様々な設定項目の設定を行う設定画面を表示するための設定ボタンが並んで表示される。図２Ｂは、両面設定ボタン５１２ａ、濃度設定ボタン５１２ｂ、カラー設定ボタン５１２ｃ等が表示されていることを示している。領域ａ１内でのボタンが並ぶ方向のスワイプ操作に応じてこれらのボタン以外のボタンも表示される。コピートップ画面５１２において領域ａ２には、スタートボタンｂ１が定常的に表示される。スタートボタンｂ１は、コピー処理の開始指示を受け付けるためのボタンである。
【００１５】
コピートップ画面５１２が表示されている状態で、両面設定ボタン５１２ａがタップされたことを検知すると制御部１０は、ディスプレイ５１に図２Ｃに示す両面設定画面５１３を表示させる。原稿の読取面や印刷用紙の印刷面の設定と関連する設定項目には、両面設定に関する設定項目ととじ位置に関する設定項目と原稿の向きに関する設定項目があり、本実施形態においてはそれらのデフォルトの設定内容は順に、「片面→片面」、「長辺とじ」、「縦」であるとして以降の説明を行う。
【００１６】
両面設定画面５１３において領域ａ１には、両面設定に関する設定項目の設定内容の選択肢を示すボタンとして「片面→片面」ボタン５１３ａ、「片面→両面」ボタン５１３ｂ、「両面→片面」ボタン５１３ｃ等が表示される。領域ａ１でのボタンが並ぶ方向のスワイプ操作に応じて他のボタン（「両面→両面」ボタン）も表示される。
【００１７】
図２Ｃにおいては「片面→片面」ボタン５１３ａが他のボタンに対して強調表示されている。これは、両面設定に関する設定項目の設定内容として「片面→片面」が現状設定されていることを示している。領域ａ２においては、制御部１０は、図２Ｂに示すコピートップ画面５１２から両面設定画面５１３に切り換えてから予め決められた閾値時間（例えば２秒）が経過するまでは説明図ｆ１を表示させる。
【００１８】
説明図は、コピー機能に関する複数の設定項目において現状設定されている設定内容でコピー処理を行う場合の仕上がりをプレビューするための模式図である。具体的には説明図ｆ１は、原稿の片面を印刷用紙の片面にコピーし、原稿の向きは縦であることを示している。両面設定画面５１３が表示されてから閾値時間が経過すると、制御部１０は説明図ｆ１に換えて図２Ｄに示すように領域ａ２にスタートボタンｂ１を表示させる。
【００１９】
なお、両面設定画面５１３において領域ａ３には画面タイトルを示す「両面設定」の文字と、「戻る」ボタン５１３ｘと、「進む」ボタン５１３ｙが表示される。「戻る」ボタン５１３ｘは前画面であるコピートップ画面５１２をディスプレイ５１に表示させるためのボタンであり、「進む」ボタン５１３ｙは両面設定に関連する他の設定項目の設定画面であるとじ位置設定画面５１４（詳細は後述する）を表示させるためのボタンである。
【００２０】
図２Ｃまたは図２Ｄに示す両面設定画面５１３が表示されている状態で「片面→両面」ボタン５１３ｂがタップされたことを検知する（すなわち「片面→両面」への設定変更を受け付ける）と制御部１０は、「片面→片面」ボタン５１３ａの強調表示を解除して代わりに「片面→両面」ボタン５１３ｂを強調表示させ、図３Ａに示すように領域ａ２に説明図ｆ２を表示させる。その後、閾値時間が経過すると制御部１０は図３Ｂに示すように説明図ｆ２に換えてスタートボタンｂ１を領域ａ２に表示させる。本実施形態においては、ユーザーの設定を受け付けてから閾値時間が経過したことがスタートボタンｂ１の出現条件に相当する。なお説明図ｆ２は、原稿の読取は片面であるが印刷用紙の印刷面は両面であることと、とじ位置が長辺とじであることと、原稿の向きが縦であることを示している。
【００２１】
このように、閾値時間が経過すると自動的にスタートボタンｂ１が両面設定画面５１３に表示されるため、ユーザーは「戻る」ボタン５１３ｘをタップして定常的にスタートボタンｂ１が配置されるコピートップ画面５１２を表示させなくても両面設定画面５１３においてスタートボタンｂ１をタップしてコピー処理を開始させることができる。また、領域ａ２にスタートボタンｂ１が定常的に表示される構成と比較すると、本実施形態の場合は出現条件を満たすまでの間に一時的であっても領域ａ２を広く使って説明図を表示することができるため、ユーザーに設定内容をより詳細に伝えることが可能である。
【００２２】
図３Ａまたは図３Ｂに示す両面設定画面５１３において「進む」ボタン５１３ｙがタップされたことを検知すると制御部１０は図３Ｃに示すとじ位置設定画面５１４をディスプレイ５１に表示させる。とじ位置設定画面５１４は、設定内容として「短辺とじ」または「長辺とじ」をユーザーに選択させる画面であり、領域ａ１に短辺とじボタン５１４ａと長辺とじボタン５１４ｂとが表示される。図３Ｃおよび図３Ｄのとじ位置設定画面５１４では「長辺とじ」が現状設定されていることを示すために長辺とじボタン５１４ｂが短辺とじボタン５１４ａと比較して強調表示されている。制御部１０は、図３Ａまたは図３Ｂに示す両面設定画面５１３からとじ位置設定画面５１４に切り換えてから閾値時間が経過するまでは領域ａ２において説明図ｆ２を表示させる。閾値時間経過後、制御部１０は領域ａ２に説明図ｆ２に換えてスタートボタンｂ１を表示させる。
【００２３】
なお、とじ位置設定画面５１４において領域ａ３には画面タイトルを示す「とじ位置」の文字と、「戻る」ボタン５１４ｘと、「進む」ボタン５１４ｙが表示される。「戻る」ボタン５１４ｘは前画面である両面設定画面５１３をディスプレイ５１に表示させるためのボタンであり、「進む」ボタン５１４ｙは原稿の向き設定画面５１５（詳細は後述する）を表示させるためのボタンである。
【００２４】
なお、図３Ｃまたは図３Ｄに示すとじ位置設定画面５１４が表示されている状態で、仮に短辺とじボタン５１４ａがタップされたことを検知すると制御部１０は長辺とじボタン５１４ｂの強調表示を解除して短辺とじボタン５１４ａを強調表示させ、説明図（不図示）を領域ａ２に表示させる。この場合の説明図は、原稿の読取は片面であるが印刷用紙の印刷面は両面であることと、とじ位置が短辺とじであることと、原稿の向きが縦であることを示す図である。そして、短辺とじボタン５１４ａがタップされて説明図が表示されてから閾値時間経過後に、制御部１０は領域ａ２にスタートボタンｂ１を表示させる。したがって、とじ位置設定画面５１４において設定変更を行った場合、スタートボタンをタップするために「戻る」ボタン５１４ｘ、５１３ｘをタップしてコピートップ画面５１２まで戻る必要がなく、とじ位置設定画面５１４を表示させたままスタートボタンｂ１をタップでき、便利である。
【００２５】
図３Ｃまたは図３Ｄに示すとじ位置設定画面５１４において「進む」ボタン５１４ｙがタップされたことを検知すると制御部１０は図３Ｅに示す原稿の向き設定画面５１５をディスプレイ５１に表示させる。原稿の向き設定画面５１５は、設定内容として「縦」または「横」をユーザーに選択させる画面であり、領域ａ１に縦ボタン５１５ａと横ボタン５１５ｂとが表示される。図３Ｅおよび図３Ｆの原稿の向き設定画面５１５では「縦」が現状設定されていることを示すために縦ボタン５１５ａが横ボタン５１５ｂと比較して強調表示されている。制御部１０は、図３Ｃまたは図３Ｄに示すとじ位置設定画面５１４から原稿の向き設定画面５１５に切り換えてから閾値時間が経過するまでは領域ａ２において説明図ｆ２を表示させる。閾値時間経過後、制御部１０は領域ａ２に説明図ｆ２に換えてスタートボタンｂ１を表示させる。
【００２６】
なお、原稿の向き設定画面５１５において領域ａ３には画面タイトルを示す「原稿の向き」の文字と、「戻る」ボタン５１５ｘが表示される。「戻る」ボタン５１５ｘは前画面であるとじ位置設定画面５１４をディスプレイ５１に表示させるためのボタンである。
【００２７】
なお、図３Ｅまたは図３Ｆに示す原稿の向き設定画面５１５が表示されている状態で、仮に横ボタン５１５ｂがタップされたことを検知すると制御部１０は縦ボタン５１５ａの強調表示を解除して横ボタン５１５ｂを強調表示させ、説明図（不図示）を領域ａ２に表示させる。この場合の説明図は、原稿の読取は片面であるが印刷用紙の印刷面は両面であることと、とじ位置が長辺とじであることと、原稿の向きが横であることを示す図である。そして、横ボタン５１５ｂがタップされて説明図が表示されてから閾値時間経過後に、制御部１０は領域ａ２にスタートボタンｂ１を表示させる。したがって、原稿の向き設定画面５１５において設定変更を行った場合スタートボタンをタップするために、「戻る」ボタン５１４ｘ、５１３ｘ、５１２ｘをタップしてコピートップ画面５１２まで戻る必要がなく便利である。
【００２８】
２．他の実施形態：
尚、本発明の技術的範囲は、上述した実施例に限定されるものではなく、本発明の要旨を逸脱しない範囲内において種々変更を加え得ることは勿論である。例えば、出現条件については、上記実施形態では説明図を表示してからディスプレイに対する操作を閾値時間以上検知しなかったこととしていたが、他にも例えば、説明図を表示してから開始指示ボタンの出現指示操作を検知したことであってもよい。出現指示操作が行われた場合は、ユーザーの操作に追従して速やかに開始指示ボタンを表示させ、ユーザーによる開始指示ボタンへの操作を待機することができる。出現指示操作は、説明図の領域内へのタップ、説明図の領域内でのスワイプ、説明図の領域内を起点とするスワイプ、説明図の領域内を終点とするスワイプ、説明図と無関係な位置でのスワイプ等を想定してよい。
【００２９】
また、説明図に換えて開始指示ボタンを表示させる場合、一瞬で切り替わるようにしてもよいし、時間をかけて切り替わるようにしてもよい（切り替わる過程の動きを表示してもよい）。例えば図４Ｃは、図４Ａおよび図４Ｂに示す両面設定画面５１３の領域ａ２へ表示される画像を示している。図４Ａに示す両面設定画面５１３は、領域ａ２において図４Ｃの表示対象領域ａ２０の画像（説明図ｆ２を含む）が表示されていることを示している。この状態で出現条件を満たした場合、表示対象領域ａ２０を図４Ｃにおけるスタートボタンｂ１側に段階的に移動させることによって、段階的に図４Ａに示す領域ａ２の表示内容から図４Ｂに示す領域ａ２の表示内容に切り替えられてもよい。
【００３０】
また、上記実施形態では、制御部は、出現条件を満たした場合に開始指示ボタンを説明図に換えて表示させる態様を説明したが、説明図を表示したまま開始指示ボタンが表示されてもよい。また、開始指示ボタンが説明図に一部重畳してもよいし、説明図と干渉しない位置に開始指示ボタンが表示されてもよい。例えば図５Ａに示す両面設定画面５１３が表示されている状態において出現条件を満たした場合、図５Ｂに示すポップアップ部ａ４が表示されてもよい。そしてポップアップ部ａ４にスタートボタンｂ１が表示されてもよい。
【００３１】
なお本発明は、上述の制御部に対応する機能を電子機器に実現させるための制御プログラムとしても成立する。また、電子機器を制御するＰＣ（Personal Computer）やスマートフォンやタブレット端末の制御プログラムにも本発明を適用することができる。また請求項に記載された各部の機能は、構成自体で機能が特定されるハードウェア資源、プログラムにより機能が特定されるハードウェア資源、又はそれらの組み合わせにより実現される。また、これら各部の機能は、各々が物理的に互いに独立したハードウェア資源で実現されるものに限定されない。
【符号の説明】
【００３２】
１…プリンター、１０…制御部、１１…制御プログラム、２０…印刷部、３０…画像読取部、４０…通信部、５０…ユーザーＩ／Ｆ部、５１…タッチパネルディスプレイ（ディスプレイ）、５１１…ホーム画面、５１１ａ…スキャンボタン、５１１ｂ…コピーボタン、５１１ｃ…写真印刷ボタン、５１２…コピートップ画面、５１２ａ…両面設定ボタン、５１２ｂ…濃度設定ボタン、５１２ｃ…カラー設定ボタン、５１２ｘ…「戻る」ボタン、５１３…両面設定画面、５１３ａ…「片面→片面」ボタン、５１３ｂ…「片面→両面」ボタン、５１３ｃ…「両面→片面」ボタン、５１３ｘ…「戻る」ボタン、５１３ｙ…「進む」ボタン、５１４…とじ位置設定画面、５１４ａ…短辺とじボタン、５１４ｂ…長辺とじボタン、５１４ｘ…「戻る」ボタン、５１４ｙ…「進む」ボタン、５１５…原稿の向き設定画面、５１５ａ…縦ボタン、５１５ｂ…横ボタン、５１５ｘ…「戻る」ボタン、ａ１…領域、ａ２…領域、ａ２０…表示対象領域、ａ３…領域、ａ４…ポップアップ部、ｂ１…スタートボタン、ｆ１…説明図、ｆ２…説明図
【図１】
2017130708.tif 000003
【図２】
2017130708.tif 000004
【図３】
2017130708.tif 000005
【図４】
2017130708.tif 000006
【図５】
2017130708.tif 000007